(57)【要約】【課題】  綴じ方向と予め穿孔されているパンチ穴の位置との不整合が生じることを防止する画像形成装置を提供する。【解決手段】  予めパンチ穴が穿孔されている紙媒体に画像形成を行う場合、出力設定された綴じ方向とパンチ穴穿孔位置とが一致しなければ画像形成の開始制御を保留する。出力設定された綴じ方向とパンチ穴穿孔位置とが一致しなければ、予め穿孔されているパンチ穴穿孔位置を優先して、綴じ方向をパンチ穴穿孔位置に合わせるように自動設定する。【選択図】  図２
2008153950.tif 000002
【特許請求の範囲】
【請求項１】
収容されている紙媒体に画像を形成する画像形成装置であって、
前記紙媒体の予め穿孔されているパンチ穴の穿孔位置を記憶する記憶手段と、
画像形成する紙媒体の選択、両面印刷の選択、及び綴じ方向の選択が可能な操作手段と、
予めパンチ穴が穿孔されている紙媒体が選択され、かつ両面印刷が選択されると、選択された紙媒体のパンチ穴の穿孔位置と選択された綴じ方向とが一致するか判断し、一致していなければ画像形成の開始制御を保留する制御手段と、
を備えること、
を特徴とする画像形成装置。
【請求項２】
収容されている紙媒体に画像を形成する画像形成装置であって、
前記紙媒体の予め穿孔されているパンチ穴の穿孔位置を記憶する記憶手段と、
画像形成する紙媒体の選択、両面印刷の選択、及び綴じ方向の選択が可能な操作手段と、
予めパンチ穴が穿孔されている紙媒体が選択され、かつ両面印刷が選択されると、選択された紙媒体のパンチ穴の穿孔位置と選択された綴じ方向とが一致するか判断し、一致していなければ、パンチ穴の穿孔位置に合わせて綴じ方向を強制設定した上で画像形成させる制御手段と、
を備えること、
を特徴とする画像形成装置。
【請求項３】
収容されている紙媒体に画像を形成する画像形成装置であって、
前記紙媒体の予め穿孔されているパンチ穴の穿孔位置を記憶する記憶手段と、
画像形成する紙媒体の選択、両面印刷の選択、及び綴じ方向の選択が可能な操作手段と、
予めパンチ穴が穿孔されている紙媒体が選択され、かつ両面印刷が選択されると、選択された紙媒体のパンチ穴の穿孔位置と選択された綴じ方向とが一致するか判断する判断手段と、
前記判断手段が一致していないと判断した場合、綴じ方向をパンチ穴の穿孔位置に合わせて自動設定するか否かの選択を促す表示画面を表示する表示手段と、
前記自動設定をすることが選択されると、パンチ穴の穿孔位置に合わせて綴じ方向を自動設定した上で画像形成させる制御手段と、
を備えること、
を特徴とする画像形成装置。
【請求項４】
前記操作手段は、
予め、上下左右の何れかに規定される前記パンチ穴の穿孔位置の設定入力がさらに可能なこと、
を特徴とする請求項１乃至３のいずれかに記載の画像形成装置。
【請求項５】
前記操作手段は、
予め、長辺又は短辺の何れかに規定される前記パンチ穴の穿孔位置の設定入力がさらに可能なこと、
を特徴とする請求項１乃至３のいずれかに記載の画像形成装置。
【発明の詳細な説明】
【技術分野】
【０００１】
この発明は、画像データに従って紙媒体に画像形成する画像形成装置に関する。
【背景技術】
【０００２】
画像データに従って紙媒体に画像形成する各種の画像形成装置が知られている。例えば、コンピュータから送信された画像データを紙媒体に出力するプリンタや、原稿表面から画像を読み取って複写するコピー機等がある。また、プリンタとコピー機を複合し、或いはこれに加えてＦＡＸやスキャナを付加した複合機がある。
【０００３】
この画像形成装置は、装置本体内や装置前段にせつぞくされた用紙収容装置に各種の紙媒体を収容し、何れかの種類の紙媒体を取り出して画像形成をする。紙媒体としては、ちらし等に用いられる微塗工紙、カタログ等に用いられるアート紙、その他、コート紙、キャスト紙、上質紙とがあり、またルーズリーフのような用紙の一辺何れかに予めパンチ穴が穿孔済みの用紙もある。
【０００４】
画像形成装置の操作者は、収容されている紙媒体の何れかを選択し、両面印刷か片面印刷かを選択し、綴じ方向を選択し、画像形成装置に所望の形式で画像形成をさせる。綴じ方向は、印刷物が綴じられる方向であり、紙媒体の上を綴じるか、下を綴じるか、左を綴じるか、右を綴じるか、或いは長辺を綴じるか、短辺を綴じるか選択できる。両面印刷の場合、選択された綴じ方向によって裏面の画像を回転させる処理を行う（例えば、「特許文献１」参照。）。尚、この技術では、その他、読み取る原稿の向きや紙媒体の向きによっても画像を回転させる処理を行うことも提示されている。
【０００５】
例えば、紙媒体の長辺を搬送方向として、左右何れかの綴じが選択された場合は裏面画像を回転させなくともよいが、上綴じが選択された場合は裏面画像を１８０度回転させて画像形成する。即ち、裏面の下端に画像上端を合わせて画像形成をする。
【０００６】
しかし、両面に画像形成する紙媒体としてパンチ穴穿孔済みの紙媒体が選択された場合、選択された綴じ方向によっては、パンチ穴位置と選択された綴じ方向とが不整合を生じてしまうことがある。
【０００７】
例えば、パンチ穴が長辺に存在するＬＥＦ（Ｌｏｎｇ  Ｅｄｇｅ  Ｆｅｅｄ）転写紙の場合、左右（ＬＥＤ転写紙の場合、長辺）何れかの方向で綴じられることを予定していると推定できるが、画像形成装置の操作者がよく考えずに上綴じ（ＬＥＦ転写紙の場合、短辺綴じとなる）を選択してしまうと、裏面画像が１８０度回転処理されてしまい、その出力物をパンチ穴で綴じると裏面画像が読者に対して逆向きとなってしまう。
【０００８】
【特許文献１】特開平７−１３１６３０号公報
【発明の開示】
【発明が解決しようとする課題】
【０００９】
この発明は、上述のような問題点に鑑みてなされたものであり、綴じ方向と予め穿孔されているパンチ穴の位置との不整合が生じることを防止する画像形成装置を提供することを目的とする。
【課題を解決するための手段】
【００１０】
上記課題を解決するための第１の態様は、収容されている紙媒体に画像を形成する画像形成装置であって、前記紙媒体の予め穿孔されているパンチ穴の穿孔位置を記憶する記憶手段と、画像形成する紙媒体の選択、両面印刷の選択、及び綴じ方向の選択が可能な操作手段と、予めパンチ穴が穿孔されている紙媒体が選択され、かつ両面印刷が選択されると、選択された紙媒体のパンチ穴の穿孔位置と選択された綴じ方向とが一致するか判断し、一致していなければ画像形成の開始制御を保留する制御手段と、を備えること、を特徴とする。
【００１１】
上記課題を解決するための第２の態様は、収容されている紙媒体に画像を形成する画像形成装置であって、前記紙媒体の予め穿孔されているパンチ穴の穿孔位置を記憶する記憶手段と、画像形成する紙媒体の選択、両面印刷の選択、及び綴じ方向の選択が可能な操作手段と、予めパンチ穴が穿孔されている紙媒体が選択され、かつ両面印刷が選択されると、選択された紙媒体のパンチ穴の穿孔位置と選択された綴じ方向とが一致するか判断し、一致していなければ、パンチ穴の穿孔位置に合わせて綴じ方向を自動設定した上で画像形成させる制御手段と、を備えること、を特徴とする。
【００１２】
上記課題を解決するための第３の態様は、収容されている紙媒体に画像を形成する画像形成装置であって、前記紙媒体の予め穿孔されているパンチ穴の穿孔位置を記憶する記憶手段と、画像形成する紙媒体の選択、両面印刷の選択、及び綴じ方向の選択が可能な操作手段と、予めパンチ穴が穿孔されている紙媒体が選択され、かつ両面印刷が選択されると、選択された紙媒体のパンチ穴の穿孔位置と選択された綴じ方向とが一致するか判断する判断手段と、前記判断手段が一致していないと判断した場合、綴じ方向をパンチ穴の穿孔位置に合わせて自動設定するか否かの選択を促す表示画面を表示する表示手段と、前記自動設定をすることが選択されると、パンチ穴の穿孔位置に合わせて綴じ方向を自動設定した上で画像形成させる制御手段と、を備えること、を特徴とする。
【００１３】
また、前記操作手段は、予め、上下左右の何れかに規定される前記パンチ穴の穿孔位置の設定入力がさらに可能なようにしてもよい。
【００１４】
また、前記操作手段は、予め、長辺又は短辺の何れかで規定される前記パンチ穴の穿孔位置の設定入力がさらに可能なようにしてもよい。
【発明の効果】
【００１５】
第１の態様では、予めパンチ穴が穿孔されている紙媒体に画像形成を行う場合、出力設定された綴じ方向とパンチ穴穿孔位置とが一致しなければ画像形成の開始制御を保留するようにした。これにより、パンチ穴穿孔位置と綴じ方向との不整合が生じない出力設定が確実になり、パンチ穴穿孔位置と綴じ方向との不整合が生じることを防止でき、パンチ穴を活用してバインダに綴じたり、冊子化したりすることができる。
【００１６】
第２の態様では、予めパンチ穴が穿孔されている紙媒体に画像形成を行う場合、出力設定された綴じ方向とパンチ穴穿孔位置とが一致しなければ、予め穿孔されているパンチ穴穿孔位置を優先して、綴じ方向をパンチ穴穿孔位置に合わせるように自動設定するようにした。これにより、パンチ穴穿孔位置と綴じ方向との不整合が生じることが防止され、パンチ穴を活用してバインダに綴じたり、冊子化したりすることができる。
【発明を実施するための最良の形態】
【００１７】
以下、本発明の実施形態について図面に基づき詳細に説明する。
【００１８】
（第１の実施形態）
図１は、パンチ穴穿孔位置と綴じ方向との不整合発生を防止する画像形成装置１００の全体構成を示す図である。
【００１９】
画像形成装置１００は、任意の画像データに基づき色毎のトナー像を形成し、色毎のトナー像を重ね合わせてカラー画像を形成する電子写真方式の印刷装置である。この画像形成装置１００は、装置本体１００ａと、装置本体１００ａの上部に設置された画像読取装置１００ｂから構成される。
【００２０】
装置本体１００ａの表面に埋め込まれている操作パネル１０８を用いて操作されることを契機として、画像読取装置１００ｂで画像を読み取り、紙媒体上に画像を形成する。または、ネットワーク上の端末から画像データが出力されることを契機として、紙媒体上に画像を形成する。この第１の実施形態に係る画像形成装置１００は、予め穿孔されているパンチ穴と綴じ方向が異なる場合には、綴じ方向の出力設定のやり直しを促し、画像形成を保留する装置である。
【００２１】
画像形成装置１００の後段には、製本装置２０５が電気的かつ機械的に連結される場合がある。製本装置２０５は、画像形成装置１００で出力された印刷物を束にして、ステープラ処理、シフト処理、穿孔処理等の後処理を行う装置である。
【００２２】
画像読取装置１００ｂは、原稿の表面に形成されている画像を光学的に読み取って当該画像をアナログ信号に変換する原稿画像走査露光装置１２２と、原稿を原稿画像走査露光装置１２２に給紙する自動原稿給紙装置（ＡＤＦ：Ａｕｔｏ Ｄｏｃｕｍｅｎｔ Ｆｅｅｄｅｒ）１２１とから構成される。
【００２３】
自動原稿給紙装置１２１は、原稿を原稿画像走査露光装置１２２に給紙する装置であり、原稿台１２１ａ上に載置された複数枚の原稿を、搬送手段１２１ｂで原稿画像走査露光装置１２２に一枚ずつ搬送する。
【００２４】
原稿画像走査露光装置１２２は、プラテンガラス１２２ａと、キセノンランプ等の光源、ミラー、及びレンズを含む光学系１２２ｂと、ＣＣＤ（Ｃｈａｒｇｅ  Ｃｏｕｐｌｅｄ  Ｄｅｖｉｃｅ）イメージセンサ１２２ｃとから構成される。
【００２５】
光学系１２２ｂは、自動原稿給紙装置１２１の搬送によりプラテンガラス１２２ａ上に載置された原稿を走査露光し、光源による照射によって原稿から反射した反射光をミラーで光路変更させつつ、レンズを介してＣＣＤイメージセンサ１２２ｃに結像させる。ＣＣＤイメージセンサ１２２ｃは、原稿面に形成されている画像を反映する入射光を受光してアナログ信号に変換する。
【００２６】
装置本体１００ａ内には、紙媒体を収容する紙媒体収容部１０３と、画像を紙媒体に出力する画像出力部１０４が配置されている。紙媒体収容部１０３と画像出力部１０４との間には、紙媒体収容部１０３から画像出力部１０４へ紙媒体を給紙する搬送路１０５が配置されている。画像出力部１０４の後段には、定着部１０６が配置されている。装置本体１００ａ内では、紙媒体が搬送路１０５を通って紙媒体収容部１０３から画像出力部１０４へ搬送され、画像出力部１０４で紙媒体上に画像が形成された後、定着部１０６で画像を定着させ、装置本体１００ａから排紙される。
【００２７】
また、この装置本体１００ａ内には、画像形成装置１００と製本装置２０５とを統合的に制御する制御ユニット１０２が配置されている。
【００２８】
紙媒体収容部１０３は、トレイ形状や箱形状を有し、下部に配置されたレールに沿って装置本体１００ａの外部へ引き出し可能となっている。一般的には、装置本体１００ａに複数の紙媒体収容部１０３，１０３，１０３・・・が配置される。それぞれの紙媒体収容部１０３，１０３，１０３・・・には、Ａ３サイズ、Ａ４サイズ、或いはＢ５サイズ等の各種サイズの紙媒体を縦向き横向き等の各種の向きで収容可能となっている。また、収容可能な紙媒体の種類としては、ちらし等に用いられる微塗工紙、カタログ等に用いられるアート紙、その他、コート紙、キャスト紙、上質紙とがあり、またルーズリーフのような用紙の一辺何れかに予めパンチ穴が穿孔済みの用紙もある。
【００２９】
搬送路１０５は、紙媒体を紙媒体収容部１０３の何れかより取り出し、画像出力部１０４と定着部１０６を通過させ、製本装置２０５内へ搬送する。この搬送路１０５は、所定間隔で配された対向する複数組のローラ対で形成される。ローラ対の配置ラインが紙媒体の搬送ラインを作り出す。このローラ対が紙媒体を挟持し、搬送方向へ送り出すように回転することで、紙媒体が次段のローラ対へ搬送されていく。
【００３０】
紙媒体収容部１０３の近傍には、送り出しローラ１０５ａ及び給紙ローラ１０５ｂが配置され、紙媒体収容部１０３から紙媒体を取り出す。給紙ローラ１０５ｂの後段には、画像出力部１０４へ向けて、搬送ローラ１０５ｃ、１０５ｄ、１０５ｅ、及びレジストローラ１０５ｆが順に配置され、取り出された紙媒体を画像出力部１０４へ搬送する。レジストローラ１０５ｆでは、搬送されてきた紙媒体を一端止め置き、紙媒体の先端規制をしてから画像出力部１０４へ搬送する。
【００３１】
定着部１０６の後段には、分岐路１０５ｇが配置され、定着部１０６を通過した紙媒体を排紙側又は循環側へ搬送する。分岐路１０５ｇの排紙側には、排紙ローラ１０５ｈが配され、排紙側へ搬送された紙媒体を外部へ排紙し、製本装置２０５内へ搬送する。
【００３２】
分岐路１０５ｇの循環側には、循環通紙路１０５ｉと反転搬送路１０５ｊと再給紙搬送路１０５ｋが配置される。紙媒体の両面に画像を形成する場合、画像出力部１０４で片面に画像を形成した後、循環通紙路１０５ｉを経て、反転搬送路１０５ｊで紙媒体の紙面を反転させ、再給紙搬送路１０５ｋを経て再度搬送ローラ１０５ｅに合流させる。
【００３３】
画像出力部１０４は、色毎の画像形成ユニット１０９Ｙ、１０９Ｍ、１０９Ｃ、１０９Ｋと、この画像形成ユニット１０９Ｙ、１０９Ｍ、１０９Ｃ、１０９Ｋに対応した色毎の半導体レーザ１１０Ｙ、１１０Ｍ、１１０Ｃ、１１０Ｋと、各色共通の無終端状の中間転写ベルト１１１とを備えている。
【００３４】
画像形成ユニット１０９Ｙと半導体レーザ１１０Ｙ、画像形成ユニット１０９Ｍと半導体レーザ１１０Ｍ、画像形成ユニット１０９Ｃと半導体レーザ１１０Ｃ、画像形成ユニット１０９Ｋと半導体レーザ１１０Ｋは、順にイエロー（Ｙ）色、マゼンタ（Ｍ）色、シアン（Ｃ）色、黒（Ｋ）色の画像を形成する。
【００３５】
画像形成ユニット１０９Ｙには、感光ドラム１Ｙと帯電部２Ｙと現像部３Ｙとクリーニング部５Ｙが配され、画像形成ユニット１０９Ｍには、感光ドラム１Ｍと帯電部２Ｍと現像部３Ｍとクリーニング部５Ｍが配され、画像形成ユニット１０９Ｃには、感光ドラム１Ｃと帯電部２Ｃと現像部３Ｃとクリーニング部５Ｃが配され、画像形成ユニット１０９Ｋには、感光ドラム１Ｋと帯電部２Ｋと現像部３Ｋとクリーニング部５Ｋが配されている。
【００３６】
感光ドラム１Ｙ、１Ｍ、１Ｃ、１Ｋは、回転可能な円柱体であり、表面がスコロトロン方式等の帯電方式により均一に帯電されている。この表面は、半導体レーザ１１０Ｙ、１１０Ｍ、１１０Ｃ、１１０Ｋの出力するレーザ光により露光され、レーザ光の出力強度に応じて露光部分の電位が減じ、静電潜像が形成される。
【００３７】
帯電部２Ｙ、２Ｍ、２Ｃ、２Ｋは、感光ドラム１Ｙ、１Ｍ、１Ｃ、１Ｋの表面に静電荷を与えて一様に帯電させる。現像部３Ｙ、３Ｍ、３Ｃ、３Ｋによる現像は、使用するトナー極性と同極性の直流電圧に交流電圧を重畳した現像バイアスが印加される反転現像にて行い、トナー供給によって感光ドラム１Ｙ、１Ｍ、１Ｃ、１Ｋの表面にトナー像を形成する。クリーニング部５Ｙ、５Ｍ、５Ｃ、５Ｋは、感光ドラム１Ｙ、１Ｍ、１Ｃ、１Ｋに残る残留トナーを除去する。
【００３８】
半導体レーザ１１０Ｙ、１１０Ｍ、１１０Ｃ、１１０Ｋは、出力強度を可変させながら対応する感光ドラム１Ｙ、１Ｍ、１Ｃ、１Ｋにレーザ光を走査し、感光ドラム１Ｙ、１Ｍ、１Ｃ、１Ｋの表面を露光して各色の静電潜像を形成する。この半導体レーザ１１０Ｙ、１１０Ｍ、１１０Ｃ、１１０Ｋは、画像データの各画素値に対応した強度の駆動信号が入力されて駆動し、画素値に対応した出力強度のレーザ光を出力する。
【００３９】
中間転写ベルト１１１は、無終端状に回動している。ベルト表面には感光ドラム１Ｙ、１Ｍ、１Ｃ、１Ｋが配され、ベルト裏面には、感光ドラム１Ｙ、１Ｍ、１Ｃ、１Ｋと対峙して１次転写ローラ６Ｙ、６Ｍ、６Ｃ、６Ｋが配されている。また、中間転写ベルト１１１を挟んで対向する２次転写ローラ７と、ベルト表面の残留トナーを除去するクリーニング部８が配されている。
【００４０】
中間転写ベルト１１１には、使用するトナーと反対極性の１次転写バイアスが１次転写ローラ６Ｙ、６Ｍ、６Ｃ、６Ｋに印加されることにより、感光ドラム１Ｙ、１Ｍ、１Ｃ、１Ｋ表面に形成されたトナー像が各色逐次転写されて（１次転写）、合成されたカラー画像が形成される。
【００４１】
合成されたカラー画像が形成された中間転写ベルト１１１は、回動により合成されたカラー画像を２次転写ローラ７へ運び、同期して２次転写ローラ７に挟持された紙媒体の表面にカラー画像を一括して転写する（２次転写）。転写後は、残留トナーをクリーニング部８へ運び、クリーニング部８で残留トナーが除去される。
【００４２】
定着部１０６は、紙媒体を加熱圧着し、カラー画像を紙媒体に定着させる。
【００４３】
製本装置２０５には、内部に穿孔部２１０、シフト部２１１が設けられている。また、製本装置２０５の給紙口２２０と穿孔部２１０とシフト部２１１の各間には、搬送路２１６が配置されている。製本装置２０５の排紙側外部には、紙媒体を蓄積する昇降排紙トレイ２２１が設けられている。この昇降排紙トレイ２２１は、上下に移動するように設けられている。
【００４４】
搬送路２１６は、対向配置されるローラ対の並びで形成される。給紙口２２０から穿孔部２１０に至るラインには、給紙ローラ２１６ａが配され、紙媒体を挟持して搬送方向へ回転することにより、紙媒体を穿孔部２１０へ搬送する。
【００４５】
シフト部２１１の後段には、排紙ローラ２１６ｆが配され、排紙ローラ２１６ｆにより、昇降排紙トレイ２２１に排紙される。
【００４６】
穿孔部２１０は、ファイル用の孔（パンチ穴）を紙媒体に穿設する。シフト手段２１１は、連続して搬送されてくる紙媒体を、部ごとに排紙位置を変えて排紙させる処理ユニットである。
【００４７】
制御ユニット１０２は、上述の構成を有する画像形成装置１００及び製本装置２０５を統合的に制御して、画像処理、画像形成の設定、画像形成の制御、製本制御を行う。画像処理では、主に画像読取装置１００ｂから出力される画像のアナログ信号をデジタル処理する。
【００４８】
図２は、制御ユニット１０２の構成を示す図である。制御ユニット１０２は、ＣＰＵ（Ｃｅｎｔｒａｌ  Ｐｒｏｃｅｓｓｉｎｇ  Ｕｎｉｔ）１０２ａとワークメモリ１０２ｃとシステムメモリ１０２ｄを含む統括制御回路と、処理回路、記憶回路、更には駆動系の各部を直接コントロールする制御器により構成される。統括制御回路と他の記憶回路や制御器は、バス１０２ｂにより信号入出力可能に接続されており、ＣＰＵ１０２ａが統括的に記憶回路や駆動機構を制御する。
【００４９】
システムメモリ１０２ｄは、不揮発性の記憶回路であり、ＣＰＵ１０２ａが解読及び実行する制御プログラムを記憶している。ワークメモリ１０２ｃは、読み書き自由なＲＡＭ（Ｒａｍｄｏｍ  Ａｃｃｅｓｓ  Ｍｅｍｏｒｙ）であり、ＣＰＵ１０２ａのワークエリアとして、プログラムやデータが展開される。
【００５０】
ＣＰＵ１０２ａは、画像の読み取り時、ＡＤＦ制御部１０２ｅに制御信号を出力して、自動原稿給紙装置１２１を駆動させ、スキャナ制御部１０２ｆに制御信号を出力して、原稿画像走査露光装置１２２を駆動させる。ＡＤＦ制御部１０２ｅは、制御信号に従って自動原稿給紙装置１２１を駆動させる制御器である。スキャナ制御部１０２ｆは、制御信号に従って原稿画像走査露光装置１２２を駆動させる制御器である。
【００５１】
ＣＣＤイメージセンサ１２２ｃにより読み取られたアナログ信号の画像データは、読取処理部１０２ｇに入力される。読取処理部１０２ｇは、画像の処理回路で構成され、アナログ信号の画像データをデジタルの画像データに変換する。読み取られたデジタルの画像データは、圧縮ＩＣ１０２ｈでデータ圧縮されてから、ＤＲＡＭ制御ＩＣ１０２ｉの書き込み制御によって画像メモリ１０２ｊに格納される。
【００５２】
また、ネットワークを介して端末から画像データが送信されてくる場合は、ＬＡＮインターフェース１０２ｋで受信し、ＤＲＡＭ制御ＩＣ１０２ｉの書き込み制御によって画像メモリ１０２ｊに格納される。
【００５３】
この画像形成装置１００をコピー機として使用する場合、原稿表面の画像の読み取りに併せて操作パネル１０８を用いて画像の出力設定がなされる。また、この画像形成装置１００をプリンタとして使用する場合、ネットワーク上の端末により画像データ送信と併せて画像の出力設定がなされる。画像の出力設定では、画像を形成する紙媒体の大きさ、片面印刷又は両面印刷の選択、製本装置２０５を用いた後処理の有無及び種類の選択がなされる。ＣＰＵ１０２ａは、操作パネル１０８からパネル制御部１０２ｍを介して出力される押下信号に従って出力態様を設定し、出力設定情報１５１としてワークメモリ１０２ｃに記憶させる。
【００５４】
ＣＰＵ１０２ａは、画像データを印刷ジョブ毎に管理し、順番にジョブが実行されるように統括的な制御を行う。ＣＰＵ１０２ａは、実行するジョブに対応する画像データの読み出しをＤＲＡＭ制御ＩＣ１０２ｉへ指示する。ＣＰＵ１０２ａは、ＤＲＡＭ制御ＩＣ１０２ｉへの画像データ読み出し指示とともに、画像の９０度若しくは−９０度或いは１８０度を指示する場合もある。操作パネル１０８を用いて指示された紙媒体の綴じ方向によって、画像回転を指示する。
【００５５】
ＤＲＡＭ制御ＩＣ１０２ｉは、ＣＰＵ１０２ａの読み出し指示及び画像回転指示に従って画像メモリ１０２ｊから画像データを読み出す。画像回転指示があると、ＤＲＡＭ制御ＩＣ１０２ｉをその回転方向に沿った方向で画像データを読み出す。ＤＲＡＭ制御ＩＣ１０２ｉに読み出された画像データは、伸長ＩＣ１０２ｎで伸張されてから、書込処理部１０２ｐへ出力される。
【００５６】
ＣＰＵ１０２ａは、ＤＲＡＭ制御ＩＣ１０２ｉへの読み出し指示及び画像回転指示とともに、プリンタ制御部１０２ｑへ画像形成を開始させる開始信号を出力する。
【００５７】
書込処理部１０２ｐは、画像データが入力されると、画像データの色毎の画素値に従った強度の駆動信号を半導体レーザ１１０Ｙ、１１０Ｍ、１１０Ｃ、１１０Ｋに出力し、同時にレーザ光の走査を制御する。
【００５８】
プリンタ制御部１０２ｑは、書込処理部１０２ｐによる半導体レーザ１１０Ｙ、１１０Ｍ、１１０Ｃ、１１０Ｋの制御と同期して、紙媒体収容部１０３、搬送路１０５、画像出力部１０４、及び定着部１０６に駆動信号を送り、紙媒体上に画像を形成させる。
【００５９】
複数ある紙媒体収容部１０３のうち、何れから紙媒体を搬送するかは、不揮発メモリ１０２ｓに予め記憶されている用紙態様情報１５０を参照しながら出力設定情報１５１に従って選択する。不揮発メモリ１０２ｓには、予め用紙態様情報１５０が記憶される。この用紙態様情報１５０は、各紙媒体収容部１０３に収容されている紙媒体の種類を登録した情報である。紙媒体収容部１０３毎に、収容されている紙媒体の大きさ、坪量、色、縦向き若しくは横向きといった収容方向、ルーズリーフ等のためのパンチ穴穿孔済み用紙か否か、パンチ穴の穿孔位置等が記憶されている。予め操作パネル１０８を用いてこれら用紙態様を設定する。ＣＰＵ１０２ａは、操作パネル１０８からパネル制御部１０２ｍを介して出力される押下信号に従って用紙態様を設定し、用紙態様情報１５０として不揮発メモリ１０２ｓに記憶させる。
【００６０】
画像形成中は、プリンタ制御部１０２ｑから一枚の画像形成が終了する毎にＣＰＵ１０２ａへ終了確認信号が出力される。ＣＰＵ１０２ａは、この終了確認信号の入力応じて出力する画像データの出力枚数と出力部数と後処理指示の有無を監視管理する。画像形成が部の区切りまで行われ、かつ後処理指示があれば、後処理制御部１０２ｒに後処理を開始させる開始信号を出力する。
【００６１】
後処理制御部１０２ｒは、穿孔部２１０又はシフト部２１１に駆動信号を送り、画像形成装置１００が出力した紙媒体の束に対してパンチ穴を穿孔させ、所定の排紙位置に載置する。
【００６２】
ここで、操作パネル１０８を用いて用紙態様情報１５０や出力設定情報１５１を記憶させる場合は、ＣＰＵ１０２ａは、操作パネル１０８に用紙態様登録のための対話画面や出力設定のための対話画面を表示させる。用紙態様の登録を変更するボタンの押下や、出力設定を変更するボタンの押下がされると、ボタンに対応した押下信号がＣＰＵ１０２ａへ入力される。ＣＰＵ１０２ａは、この押下信号が入力されると、用紙態様登録のための対話画面や出力設定のための対話画面の描画データをパネル制御部１０２ｍへ出力し、対応する対話画面を操作パネル１０８に表示させる。ネットワーク上の端末を用いて出力設定を行う場合には、ネットワークを介して出力設定のための対話画面を呼び出す信号を端末へ出力する。
【００６３】
以降、対話画面に応じた操作パネル１０８の操作に応じて対話画面を遷移させつつ、用紙態様情報１５０を不揮発メモリ１０２ｓに記憶し、出力設定情報１５１をワークメモリ１０２ｃに記憶させていく。
【００６４】
ＣＰＵ１０２ａは、この用紙態様情報１５０及び出力設定情報１５１に従って画像を縮小させたり回転させたりする等の指示をＤＲＡＭ制御ＩＣ１０２ｉに出力し、プリンタ制御部１０２ｑに紙媒体を取り出す紙媒体収容部１０３や両面印刷又は片面印刷等の制御信号を出力する。
【００６５】
この対話画面を参照しながら用紙態様情報１５０の登録や出力設定情報１５１の変更をするＣＰＵ１０２ａの処理の流れを図３乃至図１３に基づき説明する。
【００６６】
図３乃至図７は、用紙態様情報１５０を登録する対話画面の遷移を示す模式図であり、特にパンチ穴穿孔済みの用紙を登録するために遷移する対話画面を示している。
【００６７】
図８は、ＣＰＵ１０２ａによる出力設定情報１５１変更から画像形成開始までの処理の流れを示すフローチャートである。図９乃至図１１は、出力設定情報１５１を変更するための対話画面の遷移を示す模式図であり、特にパンチ穴穿孔済みの用紙に両面綴じ設定をするために遷移する対話画面を示している。
【００６８】
図１２は、用紙態様情報１５０との関係から許可される出力設定情報１５１の変更と禁止される出力設定情報１５１の変更を示す一致判断テーブルである。図１３は、禁止される出力設定を入力すると表示される警告画面を示す模式図である。
【００６９】
まず、図３に示すように、操作パネル１０８には、各種のパネル画面が選択可能なタブが画面上部に並んで表示される。表示されるタブは、コピー設定タブ１６０、スキャナ設定タブ１６１、保存設定タブ１６２、読み出し設定タブ１６３、ジョブ管理タブ１６４、機械状態表示タブ１６５である。
【００７０】
コピー設定タブ１６０は、コピーに関する既存の出力設定情報１５１を表示するとともに、この出力設定情報１５１の変更を入力可能なパネル画面に切り替える。スキャナ設定タブ１６１は、画像のスキャンに関する既存の設定を表示するとともに、この設定の変更を入力可能なパネル画面に切り替える。保存設定タブ１６２は、保存されている画像データを表示するとともに、画像データの消去等の指示が可能なパネル画面に切り替える。読み出し設定タブ１６３は、保存されている画像データを表示するとともに、出力する画像データの指示が可能なパネル画面に切り替える。ジョブ管理タブ１６４は、管理中のジョブのリストと内容を表示し、ジョブの順番入れ換えや消去の入力が可能なパネル画面に切り替える。機械状態表示タブ１６５は、画像形成装置１００と製本装置２０５の機械状態、及び用紙態様情報１５０を表示するとともに、画像形成装置１００と製本装置２０５の調整とコントローラ設定、及び用紙態様情報１５０の登録変更を入力可能なパネル画面に切り替える。
【００７１】
用紙態様情報１５０の表示及び変更をする場合には、操作パネル１０８上の機械状態表示タブ１６５を押下する。機械状態表示タブ１６５が押下されたことによりＣＰＵ１０２ａが表示させるパネル画面には、例えばトナー残量の警告やパンチくずの有無等の機械状態が表示され、また用紙態様情報１５０として各紙媒体収容部１０３に収容された用紙の態様が表示される。この機械状態表示タブ１６５に対応するパネル画面の下部には、用紙態様情報１５０を変更する用紙設定ボタン１６６が表示される。
【００７２】
用紙設定ボタン１６６が押下されると、図４に示すように、パネル画面上に用紙態様情報１５０を変更するための用紙設定ポップアップウィンドウ１６７が表示される。用紙設定ポップアップウィンドウ１６７には、各紙媒体収容部１０３毎に紙媒体の態様を設定登録するポップアップウィンドウに遷移するためのトレイ設定ボタン１６８が表示される。
【００７３】
このトレイ設定ボタン１６８が押下されると、図５に示すように、ポップアップウィンドウが切り替わり、トレイ設定ポップアップウィンドウ１６９が表示される。トレイ設定ポップアップウィンドウ１６９では、用紙態様情報１５０を変更する紙媒体収容部１０３のトレイ番号別に詳細な用紙態様情報１５０が表示され、この表示されている用紙態様情報１５０を変更する画面に遷移できるようになっている。
【００７４】
トレイ設定ポップアップウィンドウ１６９には、紙媒体収容部１０３の何れかを選択可能とするため、トレイ番号別のトレイボタン１７０が表示されている。何れかのトレイボタン１７０を押下すると、トレイ設定ポップアップウィンドウ１６９に、押下したトレイボタン１７０に対応する紙媒体収容部１０３に収容されている紙媒体において既に登録済みの用紙態様情報１５０が表示される。例えば、トレイ番号「４」に対応するトレイボタン１７０を押下すると、トレイ番号「４」で識別される紙媒体収容部１０３内に収容された紙媒体について登録済みの用紙態様情報１５０が表示される。
【００７５】
さらに、トレイ設定ポップアップウィンドウ１６９には、用紙態様情報１５０とともに、用紙態様情報１５０を変更する設定変更ボタン１７１が表示される。設定変更ボタン１７１は、表示されている用紙態様情報１５０を変更する画面に遷移するボタンである。
【００７６】
設定変更ボタン１７１を押下すると、図６に示すように、設定選択ポップアップウィンドウ１７２がトレイ設定ポップアップウィンドウ１６９に切り替わって表示される。例えば、トレイ番号「４」に対応するトレイボタン１７０を押下した上で設定変更ボタン１７１を押下すると、トレイ番号「４」に対応する紙媒体収容部１０３に収容されている紙媒体に関する設定選択ポップアップウィンドウ１７２が表示される。
【００７７】
設定選択ポップアップウィンドウ１７２は、用紙態様情報１５０の具体的な中身を変更するポップアップウィンドウである。この設定選択ポップアップウィンドウ１７２には、用紙種類選択ボタン１７３、坪量入力ボタン１７４、色紙選択ボタン１７５、パンチ穴ボタン１７６、表裏調整ボタン１７７が表示され、かつそれぞれに並んで既存の設定状態が表示される。
【００７８】
用紙種類選択ボタン１７３は、微塗工紙やアート紙や普通紙等の用紙の種類を選択するボタンである。坪量入力ボタン１７４は、紙媒体の坪量を入力するフィールドを表示するボタンである。色紙選択ボタン１７５は、紙媒体の色を選択するボタンである。パンチ穴ボタン１７６は、紙媒体に穿孔されているパンチ穴の有無及び穿孔されているパンチ穴の位置を選択するボタンである。表裏調整ボタン１７７は、紙媒体の表裏のオフセットを調整するフィールドを表示するボタンである。
【００７９】
パンチ穴１７６を押下すると、図７に示すように、パンチ穴設定ポップアップウィンドウ１７８がさらに表示される。パンチ穴設定ポップアップウィンドウ１７８は、用紙態様情報１５０を変更しようとしている紙媒体収容部１０３に収容されている紙媒体に予めパンチ穴が穿孔されているか、及びパンチ穴の穿孔位置を選択するポップアップウィンドウである。
【００８０】
パンチ穴設定ポップアップウィンドウ１７８には、パンチ穴無しボタン１７９、パンチ穴左ボタン１８０、パンチ穴上ボタン１８１、パンチ穴右ボタン１８２が表示される。さらに、パンチ穴が下に穿孔されていることを登録するボタンを表示する場合もある。上下左右は、紙媒体の一方向を上と規定した場合の方向である。その他、パンチ穴が短辺綴じになる位置に穿孔されていることを登録するボタンや、パンチ穴が長辺綴じになる位置に穿孔されていることを登録するボタンを表示する場合もある。パンチ穴が紙媒体の長辺片方に穿孔されている場合は、長辺綴じになる位置に穿孔されていることを示し、パンチ穴が紙媒体の短辺方向に穿孔されている場合は、短辺綴じになる位置に穿孔されていることを示す。
【００８１】
パンチ穴無しボタン１７９を押下してＯＫボタン１８３を押下すると、ＣＰＵ１０２ａにより用紙態様情報１５０のパンチ穴に関する項目がパンチ穴無しに変更されて不揮発メモリ１０２ｓに更新記憶される。
【００８２】
パンチ穴左ボタン１８０を押下してＯＫボタン１８３を押下すると、ＣＰＵ１０２ａにより用紙態様情報１５０のパンチ穴に関する項目が用紙の左にパンチ穴が穿孔されている旨を示す情報に変更されて不揮発メモリ１０２ｓに更新記憶される。
【００８３】
パンチ穴上ボタン１８１を押下してＯＫボタン１８３を押下すると、ＣＰＵ１０２ａにより用紙態様情報１５０のパンチ穴に関する項目が用紙の上にパンチ穴が穿孔されている旨を示す情報に変更されて不揮発メモリ１０２ｓに更新記憶される。
【００８４】
パンチ穴右ボタン１８２を押下してＯＫボタン１８３を押下すると、ＣＰＵ１０２ａにより用紙態様情報１５０のパンチ穴に関する項目が用紙の右にパンチ穴が穿孔されている旨を示す情報に変更されて不揮発メモリ１０２ｓに更新記憶される。
【００８５】
例えば、この図３乃至図７の対話画面に従って、トレイ番号「４」に対応する紙媒体収容部１０３の用紙態様情報１５０を変更し、パンチ穴が左に穿孔されている旨を再登録すると、この内容を示す用紙態様情報１５０が不揮発メモリ１０２ｓに記憶される。
【００８６】
次に、トレイ番号「４」に対応する紙媒体収容部１０３の用紙態様情報１５０を変更し、パンチ穴が左に穿孔されている旨を再登録すると、この内容を示す用紙態様情報１５０が不揮発メモリ１０２ｓに記憶されているものとして、ＣＰＵ１０２ａによる出力設定情報１５１変更から画像形成開始までの処理の流れを図８乃至図１３に基づき説明する。
【００８７】
図８に示すように、画像の出力設定の変更モードに突入すると、ＣＰＵ１０２ａは、出力設定情報１５１の変更を開始する（Ｓ０１）。以下、ＣＰＵ１０２ａは、用紙態様情報１５０と変更される出力設定１５１とが一致するか否かを判断し、一致すれば画像形成をスタートさせ、一致しなければ警告を行う処理を行う。
【００８８】
まず、図９に示す対話画面でコピータブ１６０が押下されると、図１０に示すように、コピーの各種出力設定を変更するパネル画面に切り替わる。コピーの各種出力設定を変更するパネル画面には、画質を設定する画質設定フィールド１８４と、紙媒体に形成する画像の倍率を選択する倍率設定フィールド１８５と、画像を形成する紙媒体を選択する用紙予約設定フィールド１８６と、紙媒体の両面に画像を形成するか否かを設定する両面設定フィールド１８７と、その他の出力設定を変更する出力設定ボタン１８８が表示される。
【００８９】
画質設定フィールド１８４では、画像濃度を読み取ったままとするか、薄くするか、濃くするかを選択できる。ＣＰＵ１０２ａは、選択に応じて半導体レーザ１１０Ｙ，１１０Ｍ、１１０Ｃ、１１０Ｋの出力強度を増減させるように画像データの画素値を増減させる。
【００９０】
倍率設定フィールド１８５では、各種倍率が入力可能となっている。ＣＰＵ１０２ａは、画像データを入力された倍率に変倍する。
【００９１】
用紙予約設定フィールド１８６には、各紙媒体収容部１０３毎に用紙サイズと用紙種類と坪量を表示したボタンが表示される。各ボタンの何れかを押下することで紙媒体を取り出す紙媒体収容部１０３が決定される。ＣＰＵ１０２ａは、決定された紙媒体収容部１０３から紙媒体を取り出すようにプリンタ制御部１０２ｑに制御信号を出力する。
【００９２】
両面設定フィールド１８７では、片面印刷又は両面印刷を選択可能としたボタンが表示される。両面から両面に印刷するボタンが押下されると、ＣＰＵ１０２ａは、原稿両面から画像を読み取り、紙媒体の両面に画像を形成するように、原稿読み取り装置１００ｂとプリンタ制御部１０２ｑを統合的に制御する。その他、両面読み取りを行い片面にのみ画像形成するボタン、片面からのみ画像読み取りを行い両面に画像を形成するボタン、片面からのみ画像読み取りを行い片面にのみ画像を形成するボタンが配される。
【００９３】
出力設定ボタン１８８を押下すると、その他の各種出力設定を行う対話画面に遷移する。
【００９４】
ＣＰＵ１０２ａは、出力設定情報１５１の変更が開始されると、両面設定フィールド１８７において、紙媒体の両面に画像を形成するように出力設定がなされたか否かを判断する（Ｓ０２）。両面から片面、或いは片面から片面を選択するボタンが押下されて、紙媒体の片面に画像を形成するように出力設定がなされると（Ｓ０２，Ｎｏ）、用紙態様情報１５０と出力設定情報１５１とは一致するため、画像を読み取って画像形成を開始させ（Ｓ０５）、一致判断の処理を終了する。
【００９５】
一方、両面から両面、又は片面から両面を選択するボタンが押下されて、紙媒体の両面に画像を形成するように出力設定がなされると（Ｓ０２，Ｙｅｓ）、ＣＰＵ１０２ａは、用紙予約設定フィールド１８６において、パンチ穴が既に穿孔されている紙媒体が選択されたか否かを判断する（Ｓ０３）。トレイ番号「４」にパンチ穴穿孔済みの紙媒体が収容されているものとすると、トレイ番号「４」に対応するボタンの押下は、パンチ穴が既に先行されている紙媒体を選択したものとなる。
【００９６】
ＣＰＵ１０２ａは、用紙予約設定フィールド１８６において押下されたトレイ番号に対応する用紙態様情報１５０を不揮発メモリ１０２ｓから読み出して参照し、パンチ穴穿孔無しの旨の情報が含まれていれば、パンチ穴の穿孔がない紙媒体が選択された判断する。パンチ穴が上か右か左かに穿孔されている旨の情報が含まれていれば、パンチ穴穿孔済みの紙媒体が選択された判断する。
【００９７】
パンチ穴が既に穿孔されている紙媒体が選択されていなければ（Ｓ０３，Ｎｏ）、用紙態様情報１５０と出力設定情報１５１とは一致するため、画像を読み取って画像形成を開始させ（Ｓ０５）、一致判断の処理を終了する。
【００９８】
パンチ穴が既に穿孔されている紙媒体が選択されていれば（Ｓ０３，Ｎｏ）、ＣＰＵ１０２ａは、印刷物の綴じ方向と予め穿孔されているパンチ穴の位置とが一致するか否かを判断する（Ｓ０４）。
【００９９】
出力設定ボタン１８８が押下されると、図１１に示すように、その他各種の出力設定を行う出力設定ポップアップウィンドウ１９０が表示される。出力設定ポップアップウィンドウ１９０には、後処理の内容を選択する後処理フィールド１９１と、両面印刷の場合の綴じ方向を選択する両面綴じ方向フィールド１９２とを含み各種フィールドが表示される。
【０１００】
後処理フィールド１９１では、製本装置２０５で行うステープル処理、中綴じ、重ね中折り、重ね三つ折り、折り、ソート、グループ、くるみ製本、パンチ穴等を選択可能となっている。
【０１０１】
両面綴じ方向フィールド１９２には、左右綴じを選択する左右綴じボタン１９３と上綴じを選択する上綴じボタン１９４が表示される。
【０１０２】
ＣＰＵ１０２ａは、両面綴じ方向フィールド１９２で押下されたボタンに対応した綴じ方向と、用紙予約設定フィールド１８６で選択されたパンチ穴穿孔済みの紙媒体におけるパンチ穴穿孔位置とが一致するか否かを一致判断テーブルを参照して判断する。一致判断テーブルは、制御プログラムの一部としてシステムメモリ１０２ｄに記憶されており、このＳ０４の判断時に読み出されてワークメモリ１０２ｃに展開する。
【０１０３】
図１２に示すように、一致判断テーブルは、原稿の種類と画像を出力する紙媒体の種類と画像を出力する紙媒体のパンチ穴穿孔位置と綴じ方向とを対応付け、この組み合わせ毎にパンチ穴穿孔位置と綴じ方向とが一致するか否かを対応付けている。尚、綴じ方向は、読み取る原稿を基準に上下左右と規定される。即ち、上綴じは、読み取る原稿の上側を綴じるように綴じ方向を設定することを意図する。
【０１０４】
原稿の種類は、ポートレイトタイプとランドスケープタイプに分けられ、画像を出力する紙媒体の種類は、ＬＥＦ（Ｌｏｎｇ  Ｅｄｇｅ  Ｆｅｅｄ）転写紙とＳＥＦ（Ｓｈｏｒｔ  Ｅｄｇｅ  Ｆｅｅｄ）転写紙に分けられる。ポートレイトタイプの原稿及びＬＥＦ転写紙は、長辺を先頭として搬送される用紙であり、ランドスケープタイプの原稿及びＳＥＦ転写紙は、短辺を先頭として搬送される用紙である。ポートレイトタイプの原稿を読み取ってＳＥＦ転写紙に画像形成する場合、及びランドスケープタイプの画像を読み取ってＬＥＦ転写紙に画像形成する場合は、画像が９０度若しくは−９０度回転処理されることが前提となる。ＬＥＦ転写紙は、一方の長辺を先頭に搬送路１０５を搬送され、ＳＥＦ転写紙は、一方の短辺を先頭に搬送路１０５を搬送される。
【０１０５】
例えば、ポートレイトタイプの原稿を読み取って、左右（長辺）のどちらかにパンチ穴が穿孔済みのＬＥＦ転写紙に画像を形成する場合、両面綴じ方向フィールド１９２で押下された両面綴じ方向が左右綴じ（長辺）であれば、パンチ穴穿孔位置と綴じ方向とが一致し、この組み合わせの組み合わせ欄１８９には、一致することを示す「○」が示されている。一方、両面綴じ方向フィールド１９２で押下された両面綴じ方向が上綴じ（短辺）であれば、左右どちらかで綴じられることが予定されているのに上綴じとなり、パンチ穴穿孔位置と綴じ方向とが一致せず、この組み合わせの組み合わせ欄１８９には、一致することを示す「×」が示されている。
【０１０６】
同様に、例えば、ランドスケープタイプの原稿を読み取って、左右（長辺）のどちらかにパンチ穴が穿孔済みのＬＥＦ転写紙に画像を形成する場合、両面綴じ方向フィールド１９２で押下された両面綴じ方向が上綴じ（画像が９０度若しくは−９０度回転されるため、ＬＥＦ転写紙の場合、長辺）であれば、パンチ穴穿孔位置と綴じ方向とが一致し、この組み合わせの組み合わせ欄１８９には、一致することを示す「○」が示されている。一方、両面綴じ方向フィールド１９２で押下された両面綴じ方向が左右綴じ（画像が９０度若しくは−９０度回転されるため、ＬＥＦ転写紙の場合、短辺）であれば、パンチ穴穿孔位置と綴じ方向とが一致せず、この組み合わせの組み合わせ欄１８９には、一致することを示す「×」が示されている。
【０１０７】
ＣＰＵ１０２ａは、一致判断テーブルを参照し、綴じ方向とパンチ穴穿孔位置との関係に対応する欄に記述されている組み合わせ欄１８９が一致することを示す「○」であるか一致しないことを示す「×」であるか判別する。
【０１０８】
判別の結果、綴じ方向とパンチ穴穿孔位置とが一致していれば（Ｓ０４，Ｙｅｓ）、画像を読み取って画像形成を開始させ（Ｓ０５）、一致判断の処理を終了する。一方、綴じ方向とパンチ穴穿孔位置とが一致していなければ（Ｓ０４，Ｎｏ）、ＣＰＵ１０２ａは、パネル制御部１０２ｍを介して操作パネル１０８に一致しない旨を示す警告表示を表示させ（Ｓ０６）、画像形成を開始せずに再度の設定を促すべく初期画面に戻し、Ｓ０１に戻る。
【０１０９】
図１１の対話画面においてその他の設定を確定するＯＫボタン１９５が押下され、ＣＰＵ１０２ａがＳ０２〜Ｓ０４の判断を行い、その結果、綴じ方向とパンチ穴穿孔位置とが一致していなければ、図１３に示す警告ポップアップウィンドウ１９６が表示される。警告ポップアップウィンドウ１９６には、選択された紙媒体はパンチ穴穿孔済みである旨、パンチ穴穿孔位置と綴じ方向とが一致しない旨、出力設定のやりなおしを要求する旨の文字列を表示し、ＯＫボタンが表示された後、図１０に示す対話画面に表示画面を戻す。
【０１１０】
このように、本実施形態の画像形成装置１００では、予めパンチ穴が穿孔されている紙媒体に画像形成を行う場合、出力設定された綴じ方向とパンチ穴穿孔位置とが一致しなければ画像形成の開始制御を保留するようにした。開始制御を保留とし、出力設定の再設定を促す。これにより、パンチ穴穿孔位置と綴じ方向との不整合が生じない出力設定が確実になり、パンチ穴穿孔位置と綴じ方向との不整合が生じることを防止でき、パンチ穴を活用してバインダに綴じたり、冊子化したりすることができる。
【０１１１】
（第２の実施形態）
次に、パンチ穴穿孔位置と綴じ方向との不整合発生を防止する第２の実施形態に係る画像形成装置１００について説明する。この第３の実施形態に係る画像形成装置１００では、予め穿孔されているパンチ穴と綴じ方向が異なる場合には、予め穿孔されているパンチ穴の穿孔位置を優先させて、画像を回転処理し、綴じ方向を予め穿孔されているパンチ穴穿孔位置に一致させる。
【０１１２】
図１４は、第３の実施形態に係るＣＰＵ１０２ａによる出力設定情報１５１変更から画像形成開始までの処理の流れを示すフローチャートである。第３の実施形態においては、第１の実施形態で示した用紙態様情報１５０の変更、ＣＰＵ１０２ａによる出力設定情報１５１変更から画像形成開始までの処理の流れにおける図８のＳ０１〜Ｓ０４までの処理及び表示される画面は同一につき、その詳細な説明を省略する。
【０１１３】
図１４に示すように、ＣＰＵ１０２ａは、両面印刷が選択され（Ｓ０２，Ｙｅｓ）、選択された紙媒体がパンチ穴穿孔済みの用紙であると（Ｓ０３，Ｙｅｓ）、印刷物の綴じ方向と予め穿孔されているパンチ穴の位置とが一致するか否かを判断する（Ｓ０４）。そして、判断の結果、綴じ方向とパンチ穴穿孔位置とが一致していれば（Ｓ０４，Ｙｅｓ）、画像を読み取って画像形成を開始させ（Ｓ０５）、一致判断の処理を終了する。
【０１１４】
一方、綴じ方向とパンチ穴穿孔位置とが一致していなければ（Ｓ０４，Ｎｏ）、ＣＰＵ１０２ａは、パネル制御部１０２ｍを介して操作パネル１０８に選択画面を表示させる（Ｓ２１）。
【０１１５】
図１５は、綴じ方向とパンチ穴穿孔位置とが一致していない場合に表示される選択画面を示す模式図である。図１１の対話画面においてその他の設定を確定するＯＫボタン１９５が押下され、ＣＰＵ１０２ａがＳ０２〜Ｓ０４の判断を行い、その結果、綴じ方向とパンチ穴穿孔位置とが一致していなければ、図１５に示す選択ポップアップウィンドウ１９７が表示される。
【０１１６】
選択ポップアップウィンドウ１９７には、選択された紙媒体はパンチ穴穿孔済みである旨、パンチ穴穿孔位置と綴じ方向とが一致しない旨、予め穿孔されているパンチ穴位置に綴じ方向を揃えるか問う旨の文字列を表示する。選択ポップアップウィンドウ１９７の下部には、承認ボタン１９８と再設定ボタン１９９とが表示される。承認ボタン１９８が押下されると、綴じ方向を予め穿孔されているパンチ穴穿孔位置に揃えることが選択される。再設定ボタン１９９が押下されると、出力設定をやり直すことが選択される。
【０１１７】
この選択ポップアップウィンドウ１９７上で承認ボタン１９８が押下されなければ（Ｓ２２，Ｎｏ）、即ち再設定ボタン１９９が押下されると、ＣＰＵ１０２ａは、画像形成を開始せずに再度の設定を促すべく初期画面に戻し、Ｓ０１に戻る。一方、選択ポップアップウインドウ１９７上で承認ボタン１９８が押下されれば（Ｓ２２，Ｙｅｓ）、ＣＰＵ１０２ａは、パンチ穴穿孔位置に合わせて綴じ方向を強制的に自動設定し（Ｓ２３）、画像形成を開始させる（Ｓ０６）。
【０１１８】
例えば、ポートレイトタイプの原稿を読み取って、画像形成する紙媒体としてパンチ穴が左に穿孔されているＬＥＦ転写紙を選択し、両面印刷及び上綴じ設定を入力すると、パンチ穴穿孔位置と綴じ方向とが一致しないため、選択ポップアップウインドウ１９７が表示される。この選択ポップアップウィンドウ１９７で承認ボタン１９８が押下されると、パンチ穴穿孔位置に合わせて綴じ方向を自動設定する。
【０１１９】
この場合のパンチ穴穿孔位置に合わせた綴じ方向の自動設定で、綴じ方向がパンチ穴穿孔位置に合わせると、表面に画像形成される画像は、画像の上端が紙媒体の上端に合っているため、ＣＰＵ１０２ａは、表面の画像は回転処理しない。裏面に画像形成する際は、紙媒体の下端を先頭にして搬送されるため、ＣＰＵ１０２ａは、裏面に形成する画像を１８０度回転させる。
【０１２０】
上綴じ設定を強行した場合には、裏面に形成する画像の回転は行われずに紙媒体下端と画像上端とが合うように画像形成される。左のパンチ穴を利用して印刷物を綴じた場合、裏面ページをめくると読者の頭上方向に対して画像が逆さまになってしまう。
【０１２１】
一方で、パンチ穴穿孔位置に合わせて綴じ方向を自動設定して画像形成をした場合は、裏面に形成する画像が１８０度回転されて紙媒体下端と画像下端とが合うように画像形成される。左のパンチ穴を利用して印刷物を綴じた場合、裏面ページをめくっても読者の頭上方向に沿って画像が形成されている。
【０１２２】
また、ポートレイトタイプの原稿を読み取って、画像形成する紙媒体としてパンチ穴が上に穿孔されているＬＥＦ転写紙を選択し、両面印刷及び左右綴じ設定を入力すると、パンチ穴穿孔位置と綴じ方向とが一致しないため、選択ポップアップウインドウ１９７が表示される。この選択ポップアップウィンドウ１９７で承認ボタン１９８が押下されると、パンチ穴穿孔位置に合わせた綴じ方向を自動設定する。
【０１２３】
この場合のパンチ穴穿孔位置に合わせた綴じ方向の自動設定で、表面に画像形成される画像は、画像の上端が紙媒体の上端に合っているため、ＣＰＵ１０２ａは、表面の画像は回転処理しない。また、裏面に画像形成する際は、紙媒体の下端を先頭にして搬送されるため、画像の上端が紙媒体の下端に合っており同様に画像回転しない。
【０１２４】
左右綴じ設定を強行した場合には、裏面に形成する画像は１８０度回転され、紙媒体下端と画像上端とが合うように画像形成される。上のパンチ穴を利用して印刷物を綴じた場合、裏面ページをめくると読者の頭上方向に対して画像が逆さまになってしまう。
【０１２５】
一方で、パンチ穴穿孔位置に合わせて綴じ方向を自動設定して画像形成をした場合は、裏面に形成する画像は回転されず、紙媒体下端と画像上端とが合うように画像形成される。上のパンチ穴を利用して印刷物を綴じた場合、裏面ページをめくっても読者の頭上方向に沿って画像が形成されている。
【０１２６】
このように、本実施形態の画像形成装置１００では、予めパンチ穴が穿孔されている紙媒体に画像形成を行う場合、出力設定された綴じ方向とパンチ穴穿孔位置とが一致しなければ、予め穿孔されているパンチ穴穿孔位置を優先して、綴じ方向をパンチ穴穿孔位置に合わせるように自動設定するようにした。これにより、パンチ穴穿孔位置と綴じ方向との不整合が生じることが防止され、綴じ方向に従って穿孔されたパンチ穴を活用してバインダに綴じたり、冊子化したりすることができる。
【０１２７】
（第３の実施形態）
次に、パンチ穴穿孔位置と綴じ方向との不整合発生を防止する第３の実施形態に係る画像形成装置１００について説明する。この第３の実施形態に係る画像形成装置１００では、予め穿孔されているパンチ穴と綴じ方向が異なる場合には、予め穿孔されているパンチ穴の穿孔位置を優先させて、画像を回転処理し、綴じ方向を予め穿孔されているパンチ穴穿孔位置に一致させる。この自動設定は、強制的に行う。
【０１２８】
図１６は、第３の実施形態に係るＣＰＵ１０２ａによる出力設定情報１５１変更から画像形成開始までの処理の流れを示すフローチャートである。第３の実施形態においては、第１の実施形態で示した用紙態様情報１５０の変更、ＣＰＵ１０２ａによる出力設定情報１５１変更から画像形成開始までの処理の流れにおける図８のＳ０１〜Ｓ０４までの処理及び表示される画面は同一につき、その詳細な説明を省略する。
【０１２９】
図１４に示すように、ＣＰＵ１０２ａは、両面印刷が選択され（Ｓ０２，Ｙｅｓ）、選択された紙媒体がパンチ穴穿孔済みの用紙であると（Ｓ０３，Ｙｅｓ）、印刷物の綴じ方向と予め穿孔されているパンチ穴の位置とが一致するか否かを判断する（Ｓ０４）。そして、判断の結果、綴じ方向とパンチ穴穿孔位置とが一致していれば（Ｓ０４，Ｙｅｓ）、画像を読み取って画像形成を開始させ（Ｓ０５）、一致判断の処理を終了する。
【０１３０】
一方、綴じ方向とパンチ穴穿孔位置とが一致していなければ（Ｓ０４，Ｎｏ）、ＣＰＵ１０２ａは、パンチ穴穿孔位置に合わせて綴じ方向を強制的に自動設定し（Ｓ２３）、画像形成を開始させる（Ｓ０６）。
【０１３１】
例えば、ポートレイトタイプの原稿を読み取って、画像形成する紙媒体としてパンチ穴が左に穿孔されているＬＥＦ転写紙を選択し、両面印刷及び上綴じ設定を入力すると、パンチ穴穿孔位置と綴じ方向とが一致しないため、パンチ穴穿孔位置に合わせて綴じ方向を強制的に設定する。
【０１３２】
この場合のパンチ穴穿孔位置に合わせた綴じ方向の自動設定で、綴じ方向がパンチ穴穿孔位置に合わせると、表面に画像形成される画像は、画像の上端が紙媒体の上端に合っているため、ＣＰＵ１０２ａは、表面の画像は回転処理しない。裏面に画像形成する際は、紙媒体の下端を先頭にして搬送されるため、ＣＰＵ１０２ａは、裏面に形成する画像を１８０度回転させる。
【０１３３】
上綴じ設定を強行した場合には、裏面に形成する画像の回転は行われずに紙媒体下端と画像上端とが合うように画像形成される。左のパンチ穴を利用して印刷物を綴じた場合、裏面ページをめくると読者の頭上方向に対して画像が逆さまになってしまう。
【０１３４】
一方で、パンチ穴穿孔位置に合わせて綴じ方向を自動設定して画像形成をした場合は、裏面に形成する画像が１８０度回転されて紙媒体下端と画像下端とが合うように画像形成される。左のパンチ穴を利用して印刷物を綴じた場合、裏面ページをめくっても読者の頭上方向に沿って画像が形成されている。
【０１３５】
また、ポートレイトタイプの原稿を読み取って、画像形成する紙媒体としてパンチ穴が上に穿孔されているＬＥＦ転写紙を選択し、両面印刷及び左右綴じ設定を入力すると、パンチ穴穿孔位置と綴じ方向とが一致しないため、パンチ穴穿孔位置に合わせた綴じ方向を強制的に自動設定する。
【０１３６】
この場合のパンチ穴穿孔位置に合わせた綴じ方向の強制設定で、表面に画像形成される画像は、画像の上端が紙媒体の上端に合っているため、ＣＰＵ１０２ａは、表面の画像は回転処理しない。また、裏面に画像形成する際は、紙媒体の下端を先頭にして搬送されるため、画像の上端が紙媒体の下端に合っており同様に画像回転しない。
【０１３７】
左右綴じ設定を強行した場合には、裏面に形成する画像は１８０度回転され、紙媒体下端と画像上端とが合うように画像形成される。上のパンチ穴を利用して印刷物を綴じた場合、裏面ページをめくると読者の頭上方向に対して画像が逆さまになってしまう。
【０１３８】
一方で、パンチ穴穿孔位置に合わせて綴じ方向を自動設定して画像形成をした場合は、裏面に形成する画像は回転されず、紙媒体下端と画像上端とが合うように画像形成される。上のパンチ穴を利用して印刷物を綴じた場合、裏面ページをめくっても読者の頭上方向に沿って画像が形成されている。
【図面の簡単な説明】
【０１３９】
【図１】本実施形態に係る画像形成システムの構成を示す図である。
【図２】画像形成装置が備える制御ユニットの構成を示す図である。
【図３】パンチ穴穿孔済み用紙を登録するために遷移する１番目の対話画面を示す図である。
【図４】パンチ穴穿孔済み用紙を登録するために遷移する２番目の対話画面を示す図である。
【図５】パンチ穴穿孔済み用紙を登録するために遷移する３番目の対話画面を示す図である。
【図６】パンチ穴穿孔済み用紙を登録するために遷移する４番目の対話画面を示す図である。
【図７】パンチ穴穿孔済み用紙を登録するために遷移する５番目の対話画面を示す図である。
【図８】第１の実施形態に係る出力設定情報変更から画像形成開始までの処理の流れを示すフローチャートである。
【図９】パンチ穴穿孔済みの用紙に両面綴じ設定をするために遷移する１番目の対話画面を示している。
【図１０】パンチ穴穿孔済みの用紙に両面綴じ設定をするために遷移する２番目の対話画面を示している。
【図１１】パンチ穴穿孔済みの用紙に両面綴じ設定をするために遷移する３番目の対話画面を示している。
【図１２】用紙態様情報との関係から許可される出力設定情報の変更と禁止される出力設定情報の変更を示す一致判断テーブルを示す模式図である。
【図１３】禁止される出力設定を入力すると表示される警告画面を示す模式図である。
【図１４】第２の実施形態に係る出力設定情報変更から画像形成開始までの処理の流れを示すフローチャートである。
【図１５】第２の実施形態において、綴じ方向とパンチ穴穿孔位置とが一致していない場合に表示される選択画面を示す模式図である。
【図１６】第３の実施形態に係る出力設定情報変更から画像形成開始までの処理の流れを示すフローチャートである。
【符号の説明】
【０１４０】
１００  画像形成装置
１００ａ  装置本体
１００ｂ  画像読取装置
１０２  制御ユニット
１０２ａ  ＣＰＵ
１０２ｂ  バス
１０２ｃ  ワークメモリ
１０２ｄ  システムメモリ
１０２ｅ  ＡＤＦ制御部
１０２ｆ  スキャナ制御部
１０２ｇ  読取処理部
１０２ｈ  圧縮ＩＣ
１０２ｉ  ＤＲＡＭ制御ＩＣ
１０２ｊ  画像メモリ
１０２ｋ  ＬＡＮインターフェース
１０２ｍ  パネル制御部
１０２ｎ  伸長ＩＣ
１０２ｐ  書込処理部
１０２ｑ  プリンタ制御部
１０２ｒ  後処理制御部
１０２ｓ  不揮発メモリ
１０３  紙媒体収容部
１０４  画像出力部
１０５  搬送路
１０５ａ  送り出しローラ
１０５ｂ  給紙ローラ
１０５ｃ，１０５ｄ，１０５ｅ  搬送ローラ
１０５ｆ  レジストローラ
１０５ｇ  分岐路
１０５ｈ  排紙ローラ
１０５ｉ  循環通紙路
１０５ｊ  反転搬送路
１０５ｋ  再給紙搬送路
１０６  定着部
１０８  操作パネル
１０９Ｙ、１０９Ｍ、１０９Ｃ、１０９Ｋ  画像形成ユニット
１Ｙ，１Ｍ，１Ｃ，１Ｋ  感光ドラム
２Ｙ，２Ｍ，２Ｃ，２Ｋ  帯電部
３Ｙ，３Ｍ，３Ｃ，３Ｋ  現像部
５Ｙ，５Ｍ，５Ｃ，５Ｋ  クリーニング部
６Ｙ，６Ｍ，６Ｃ，６Ｋ  １次転写ローラ
７  ２次転写ローラ
８  クリーニング部
１１０Ｙ、１１０Ｍ、１１０Ｃ、１１０Ｋ  半導体レーザ
１１１  中間転写ベルト
１２１  自動原稿給紙装置
１２１ａ  原稿台
１２１ｂ  搬送手段
１２２  原稿画像走査露光装置
１２２ａ  プラテンガラス
１２２ｂ  光学系
１２２ｃ  ＣＣＤイメージセンサ
１５０  用紙態様情報
１５１  出力設定情報
１６０  コピー設定タブ
１６１  スキャナ設定タブ
１６２  保存設定タブ
１６３  読み出し設定タブ
１６４  ジョブ管理タブ
１６５  機械状態表示タブ
１６６  用紙設定ボタン
１６７  用紙設定ポップアップウィンドウ
１６８  トレイ設定ボタン
１６９  トレイ設定ポップアップウィンドウ
１７０  トレイボタン
１７１  設定変更ボタン
１７２  設定選択ポップアップウィンドウ
１７３  用紙種類選択ボタン
１７４  坪量入力ボタン
１７５  色紙選択ボタン
１７６  パンチ穴ボタン
１７７  表裏調整ボタン
１７８  パンチ穴設定ポップアップウィンドウ
１７９  パンチ穴無しボタン
１８０  パンチ穴左ボタン
１８１  パンチ穴上ボタン
１８２  パンチ穴右ボタン
１８３  ＯＫボタン
１８４  画質設定フィールド
１８５  倍率設定フィールド
１８６  用紙予約設定フィールド
１８７  両面設定フィールド
１８８  出力設定ボタン
１８９  組み合わせ欄
１９０  出力設定ポップアップウィンドウ
１９１  後処理フィールド
１９２  両面綴じ方向フィールド
１９３  左右綴じボタン
１９４  上綴じボタン
１９５  ＯＫボタン
１９６  警告ポップアップウィンドウ
１９７  選択ポップアップウィンドウ
１９８  承認ボタン
１９９  再設定ボタン
２０５  製本装置
２１０  穿孔部
２１１  シフト部
２１６  搬送路
２１６ａ  給紙ローラ
２２０  給紙口
２２１  昇降排紙トレイ
【図１】
2008153950.tif 000003
【図２】
2008153950.tif 000004
【図３】
2008153950.tif 000005
【図４】
2008153950.tif 000006
【図５】
2008153950.tif 000007
【図６】
2008153950.tif 000008
【図７】
2008153950.tif 000009
【図８】
2008153950.tif 000010
【図９】
2008153950.tif 000011
【図１０】
2008153950.tif 000012
【図１１】
2008153950.tif 000013
【図１２】
2008153950.tif 000014
【図１３】
2008153950.tif 000015
【図１４】
2008153950.tif 000016
【図１５】
2008153950.tif 000017
【図１６】
2008153950.tif 000018